(57)【特許請求の範囲】
【請求項１】
室内と室外を換気する換気装置であって、
（ａ）換気口を有して上下に延びる装置本体と、
（ｂ）前記装置本体に収容された作動板と、この作動板に連繋された操作つまみと、この操作つまみの手動操作に応じて前記作動板を前記換気口に接近・離間するように移動させるカムとを含み、前記作動板の移動により前記換気口を開閉する手動換気機構と、
（ｃ）第１通気穴を有して上下に延び、前記装置本体における前記作動板より室外側の部分に設けられた第１通気板と、
（ｄ）上下に延びるとともに前記第１通気板に対し上下方向にスライド可能に設けられ、この上下スライドにより前記第１通気穴の開度を調節する第２通気板と、
（ｅ）前記第２通気板を上方向又は下方向に付勢する形状記憶合金製の第１バネと、
（ｆ）前記第２通気板を前記第１バネとは反対方向に付勢する第２バネと、
を備え、前記第１通気板の上側部と下側部にそれぞれ常開の穴部が形成されていることを特徴とする換気装置。
【請求項２】
前記第１通気板には、上下に延びるスライドガイド部が設けられ、前記第２通気板には、前記スライドガイド部に上下スライド可能に嵌合するスライド嵌合部が設けられていることを特徴とする請求項１に記載の換気装置。
【請求項３】
前記第１バネと第２バネが、それぞれ固定端と可動端を有し、各バネの固定端が前記第１通気板に係止されるとともに可動端が前記第２通気板に係止されていることを特徴とする請求項２に記載の換気装置。
【請求項４】
前記第１通気板の上端部に前記第１、第２バネの一方が配置され、前記第１通気板の下端部に前記第１、第２バネの他方が配置され、これら第１、第２バネの間に前記第２通気板が第１、第２バネと一直線をなすように配置されていることを特徴とする請求項１〜３の何れかに記載の換気装置。
【請求項５】
前記第１、第２バネが、前記第２通気板の中心線上に配置されていることを特徴とする請求項４に記載の換気装置。
【発明の詳細な説明】
【技術分野】
【０００１】
本発明は、建物の壁、サッシ、方立などに取り付けられ、室内（屋内）と室外（屋外）を換気する換気装置に関する。
【背景技術】
【０００２】
この種の換気装置には換気口が設けられている。この換気口を操作つまみによって手動で開閉するようになっている。
形状記憶合金製のバネを用いることにより、温度環境に応じて換気口の開度を自動調節可能な自動式換気装置も開発されている。
【特許文献１】実開昭６０−１１７９８８号公報
【特許文献２】特開２００４−１７００４０号公報
【特許文献３】特開２００４−２３８９９２号公報
【特許文献４】特開２００４−２３９５４６号公報
【発明の開示】
【発明が解決しようとする課題】
【０００３】
従前の自動式換気装置では、通気板のスライド部の摩擦抵抗によって自動開度調節の精度が損なわれるおそれがあった。
また、換気口を操作つまみで手動開閉する際に自動換気用のバネ力に対抗しなくてはならかった。形状記憶合金製バネの場合、温度によってバネ力が増大することがあり、手動操作性がますます悪化していた。
さらに、手動開閉を頻繁に行なうと、形状記憶合金が繰り返し応力によって金属疲労を来たし、バネの寿命が短くなるという問題があった。
【課題を解決するための手段】
【０００４】
上記目的を達成するために、本発明は、室内と室外（屋外）を換気する換気装置であって、
（ａ）換気口を有して上下に延びる装置本体と、
（ｂ）前記装置本体に収容された作動板と、この作動板に連繋された操作つまみと、この操作つまみの手動操作に応じて前記作動板を前記換気口に接近・離間するように移動させるカムとを含み、前記作動板の移動により前記換気口を開閉する手動換気機構と、
（ｃ）第１通気穴を有して上下に延び、前記装置本体における前記作動板より室外側の部分に設けられた第１通気板と、
（ｄ）前記第１通気板に対し上下方向にスライド可能に設けられ、この上下スライドにより前記第１通気穴の開度を調節する第２通気板と、
（ｅ）前記第２通気板を上方向又は下方向に付勢する形状記憶合金製の第１バネと、
（ｆ）前記第２通気板を前記第１バネとは反対方向に付勢する第２バネと、
を備えたことを特許請求しない特徴とする。本発明は、室内と室外を換気する換気装置であって、
（ａ）換気口を有して上下に延びる装置本体と、
（ｂ）前記装置本体に収容された作動板と、この作動板に連繋された操作つまみと、この操作つまみの手動操作に応じて前記作動板を前記換気口に接近・離間するように移動させるカムとを含み、前記作動板の移動により前記換気口を開閉する手動換気機構と、
（ｃ）第１通気穴を有して上下に延び、前記装置本体における前記作動板より室外側の部分に設けられた第１通気板と、
（ｄ）上下に延びるとともに前記第１通気板に対し上下方向にスライド可能に設けられ、この上下スライドにより前記第１通気穴の開度を調節する第２通気板と、
（ｅ）前記第２通気板を上方向又は下方向に付勢する形状記憶合金製の第１バネと、
（ｆ）前記第２通気板を前記第１バネとは反対方向に付勢する第２バネと、
を備え、前記第１通気板の上側部と下側部にそれぞれ常開の穴部が形成されていることを特許請求する特徴とする。
第２通気板は上下方向にスライドするので摩擦抵抗を小さくでき、温度環境に応じた自動換気量調節の精度を向上させることができる。また、手動換気機構と第１、第２バネを機構的に分離できるので、手動換気機構の操作つまみの操作時に第１バネ又は第２バネに抗する必要がなく、手動操作性を確保できるとともに、バネの金属疲労を回避して長寿命化を図ることができる。
前記手動換気機構の操作つまみは、前記装置本体の室内側の壁に設けられるのが好ましく、前記カムは、前記装置本体の内部において前記作動板と装置本体との間に介在されているのが好ましい。
【０００５】
好ましくは、前記第１通気板は上下に延びている。さらに好ましくは、前記第２通気板は上下に延びている。前記第１通気穴は、第１通気板の長手方向に等間隔置きに多数配置されているのが好ましい。
前記第１通気板には、上下に延びるスライドガイド部が設けられ、前記第２通気板には、前記スライドガイド部に上下スライド可能に嵌合するスライド嵌合部が設けられていることが望ましい。
スライドガイド部及びスライド嵌合部が上下に延びているので、これらの間に塵埃が積もるのを抑制でき、第２通気板を長期間にわたってスムーズにスライドさせることができる。
好ましくは、前記スライドガイド部を第１通気板の幅方向の両縁に一対設け、前記スライド嵌合部を第２通気板の幅方向の両縁に一対設ける。
さらに、前記第１バネと第２バネが、それぞれ固定端と可動端を有し、各バネの固定端が前記第１通気板に係止されるとともに可動端が前記第２通気板に係止されていることが望ましい。
これによって、第１、第２通気板と第１、第２バネをユニットにすることができ、換気装置に一体的に取り付けたり取り外したりすることができる。
好ましくは、前記第１通気板が前記装置本体に対し着脱可能になっている。
【０００６】
前記第１通気板の上端部に前記第１、第２バネの一方が配置され、前記第１通気板の下端部に前記第１、第２バネの他方が配置され、これら第１、第２バネの間に前記第２通気板が第１、第２バネと一直線をなすように配置されていることが好ましい。
これによって、換気装置をスリムにすることができる。
好ましくは、前記第１、第２バネが、前記第２通気板の中心線上に配置されている。これにより、第２通気板を上下にまっすぐ吊り下げた状態で上下にまっすぐスライドさせることができる。ひいては、上下スライド時の摩擦抵抗を一層低減することができる。
【０００７】
前記第１通気板の上側部と下側部にそれぞれ常開の穴部が形成されていることが好ましい。
これによって、第１通気穴が閉じている時でも、室内の換気を確保することができる。室内と室外には通常温度差があるので、相対的に暖かいほうの空気が上側の常開穴部を通り、冷たいほうの空気が下側の常開穴部を通ることにより、換気を確実に行なうことができる。これにより、建物から出るホルムアルデヒド等の揮発性化学物質や暖房機器からの一酸化炭素などが室内に滞留するのを防止することができる。
前記上下の常開穴部に前記第１、第２バネを収容することにしてもよい。
【発明の効果】
【０００８】
本発明によれば、通気板のスライド時の摩擦抵抗を小さくでき、形状記憶合金製バネによる自動換気量調節の精度を向上させることができる。
【発明を実施するための最良の形態】
【０００９】
以下、本発明の一実施形態を図面にしたがって説明する。
図１及び２において、１は、建物の壁Ｗに設けられたサッシ方立であり、２は、サッシ障子である。サッシ方立１は、アルミ型材からなる方立本体３と、室内（屋内）に面する内カバー４と、室外（屋外）に面する外カバー５とを有し、上下方向（図１１の紙面と直交する方向）に延びている。内カバー４には上下に延びる開口４ａが形成されている。外カバー５には室外とサッシ方立１の内部とを連通する通気孔５ａが形成されている。
【００１０】
方立本体３の内部は中仕切り６によって室内側の部分３ａと室外側の部分３ｂとに仕切られている。中仕切り６には上下に延びる開口６ａが形成され、この開口６ａを介して室内側部分３ａと室外側部分３ｂとが連通されている。室内側部分３ａに換気装置１０が収容されている。
【００１１】
図４及び図５に示すように、換気装置１０は、装置本体１１と、この装置本体１１に設けられた手動換気機構２０を有している。
装置本体１１は、１つ又は複数のアルミ型材にて構成され、屋外側に開放された大略コ字状の断面をなして上下方向に延びている。装置本体１１の室内側の壁部１２は、サッシ方立１の内カバー４の開口４ａを通して室内に露出されている。図３に示すように、装置本体１１の室内側の壁部１２には換気口１２ａが上下に並んで複数形成されている。この換気口１２ａを通して、室内と装置本体１１の内部が連通されるようになっている。
【００１２】
装置本体１１の屋外側への開口部は、中仕切り６の開口６ａと一致するように配置されている。これにより、装置本体１１の内部が、開口６ａ、方立本体３の室外側部分３ｂ、外カバー５の通気孔５ａを順次介して屋外と連通されるようになっている。
【００１３】
上記換気口１２ａを開閉するための手動換気機構２０は、次のように構成されている。
図４及び図５に示すように、装置本体１０の内部には、作動板２１が収容されている。作動板２１は、上下方向に延びている。作動板２１の幅方向の両縁（図４において紙面手前と紙面奥側）には一対のカム係合部２１ａ，２１ａが凸設されている。カム係合部２１ａ，２１ａは、作動板２１の長手方向（上下）に離れて複数対設けられている（図２参照）。
【００１４】
装置本体１１の室内側の壁部１２の下端付近には、操作つまみ２２が上下にスライド可能に設けられている。操作つまみ２２は、スライド可能範囲の上限位置と下限位置においてそれぞれロック可能になっている。（図４は、操作つまみ２２を上限位置にロックした状態を示している。）この操作つまみ２２に作動板２１が前後（室内外方向）に接近・離間可能に連繋されている。
【００１５】
図２に示すように、装置本体１１の室内側壁部１２の裏側には、ホルダ２３が、上下に離れて複数配置されている。図５に示すように、ホルダ２３は、平面視コ字状をなし、作動板２１に被さっている。ホルダ２３は、作動板２１の支持手段として提供されるとともに作動板２１の移動方向を変換するカムとして提供されている。ホルダ２３の一対の側部には、図４に示すようにカム溝２３ａが貫通形成されている。各カム溝２３ａに、作動板２１のカム係合部２１ａがスライド可能に挿通されている。これにより、作動板２１がホルダ２３に支持されている。上下に配置された複数のホルダ２３，２３…によって作動板２１が垂直姿勢に保たれている。カム溝２３ａは、屋外側に向かうにしたがって上へ傾斜している。このカム溝２３ａに沿って作動板２１のカム係合部２１ａが斜め上下方向に案内され、このカム係合部２１ａとカム溝２３ａのカム作用によって、作動板２１が、斜め上下方向へ平行移動されるようになっている。作動板１２は、下降するにしたがって装置本体１１の室内側壁部１２の換気口１２ａに近づき、上昇するにしたがって室内側壁部１２の換気口１２ａから遠ざかる。この作動板１２の移動操作は、操作つまみ２２によって手動で行なうことができる。
【００１６】
図示は省略するが、操作つまみ２２を下限位置に位置させた状態では、作動板２１が、最も下に位置するとともに室内側壁部２１に最も近づき、換気口１２ａを閉ざすようになっている。これによって、室内と屋外の換気を遮断することができる。操作つまみ２２を下限位置にロックすることによって、換気口１２ａの閉状態を維持することができる。
【００１７】
このロックを解除して、操作つまみ２２を上げていくと、これと一緒に作動板２１が上昇するとともに室内側壁部１２から遠ざかり、換気口１２ａが開けられる。図４に示すように、操作つまみ２２を上限位置に位置させることにより、作動板１２を最も上に位置させるとともに室内側壁部１２から最も遠ざけることができる。操作つまみ２２を上限位置にロックすることによって、換気口１２ａの開状態を維持することができる。作動板１２についても最も上の位置で安定的に静止するようにしてもよい。ホルダ２３には、板バネからなる戻しバネ２３ｂが設けられており、この戻しバネ２３ｂが、最も上の位置の作動板１２の屋外側の面に当たるようになっている。これにより、操作つまみ２２の上限位置でのロックを解除して下降させた時、作動板１２が、戻しバネ２３ｂに押されて上記安定的な位置から斜め下に向けて動き出すようにすることができる。
【００１８】
図４及び図５に示すように、換気装置１０には、上記手動換気機構２０に加えて、自動換気機構３０が設けられている。図７に示すように、自動換気機構３０は、第１、第２の通気板３１，３２と、第１、第２のバネ３３，３４で構成されたユニットになっている。
【００１９】
図６（ａ）に示すように、第１通気板３１は、上下に延びている。第１通気板３１の上端部には穴部３１ｃが形成され、下端部の近傍には穴部３１ｄが形成されている。これら上下の穴部３１ｃ，３１ｄの間の第１通気板３１には、第１通気穴３１ａが上下に間隔を置いて多数形成されている。各第１通気穴３１ａは、上下の穴部３１ｃ，３１ｄより小さい。
【００２０】
図５に示すように、第１通気板３１の左右の縁部（上下に延びる縁部）には、大略Ｃ字状断面のスライドガイド部３１ｂと、このスライドガイド部３１ｂの外端面から突出する凸縁３１ｆが一体に形成されている。凸縁３１ｆが、換気装置本体１１の室外側の縁部に嵌め込まれている。これによって、第１通気板３１が、装置本体１１に固定されている。
【００２１】
図６（ｂ）に示すように、第２通気板３２は、上下に延びている。第２通気板３２の長さは、第１通気板３１より短い。第２通気板３２には、第２通気穴３２ａが上下に間隔を置いて多数形成されている。各第２通気穴３２ａの大きさは、各第１通気穴３１ａの大きさと略等しい。第２通気穴３２ａのピッチは、第１通気穴３１ａのピッチと等しい。
【００２２】
図５に示すように、第２通気板３２は、第１通気板３１の室外側の面に重ねられている。これによって、第１通気穴３１ａと第２通気穴３２ａが連通するようになっている。第２通気板３２の左右の縁部（上下に延びる縁部）は、Ｌ字状に折曲され、スライド嵌合部３２ｂを形成している。このスライド嵌合部３２ｂが、第１通気板３１のスライドガイド部３１ｂに上下方向にスライド可能に嵌め込まれている。
【００２３】
図６（ｂ）に示すように、第２通気板３２の上端部付近における室内側を向く面には、リベットからなる位置決め凸部３２ｅが突設されている。図７に示すように、この位置決め凸部３２ｅが、第１通気板３１に形成された位置決め孔３１ｅに嵌め込まれている。位置決め孔３１ｅは、長軸を上下に向けた長孔になっている。この位置決め孔３１ｅの長軸によって第２通気板３２の上下ストロークが規制されるようになっている。
【００２４】
図７に示すように、第２通気板３２の上下方向の位置に応じて、第１通気穴３１ａと第２通気穴３２ａの重なり度が増減するようになっている。第２通気板３２が上に位置するほど、第１通気穴３１ａと第２通気穴３２ａの重なり度が大きくなるようになっている。
図７（ａ）に示すように、位置決め凸部３２ｅが位置決め孔３１ｅの上端の縁に突き当たるとき、第２通気板３２が上下スライド範囲の上限位置に位置される。このとき、第１通気板３１の通気穴３１ａと第２通気板３２の通気穴３２ａが完全に一致し、通気穴３１ａの開口度が最大（全開）になるようになっている。
【００２５】
図７（ｂ）に示すように、位置決め凸部３２ｅが位置決め孔３１ｅの下端の縁に突き当たるとき、第２通気板３２が上下スライド範囲の下限位置に位置される。このとき、第１通気板３１の通気穴３１ａに対し第２通気板３２の通気穴３２ａが半ピッチ程度ずれ、通気穴３１ａの開口度が最小になるようになっている。この実施形態では、最小開口度の時も通気穴３１ａ，３２ａどうしが少し重なり半開き状態になっているが、通気穴３１ａ，３２ａどうしがまったく重ならないようにして完全な閉じ状態になるようにしてもよい。
【００２６】
第１バネ３３は、Ｎｉ−Ｔｉ合金等の形状記憶合金からなる引っ張りコイルバネにて構成されている。形状記憶合金製の第１バネ３３は、温度が上昇すると自然長が小さくなってバネ力が増大し、逆に温度が低下すると自然長が大きくなってバネ力が減少する特性を有している。図７に示すように、第１バネ３３は、第１通気板３１の上側の穴部３１ｃに収容されるようにして配置されている。第１バネ３３の上端（固定端）は、第１通気板３１の上端部に設けられたバネ係止部３１ｇに引っ掛けられている。第１バネ３３の下端（可動端）は、第２通気板３２の上端部に設けられたバネ係止部３２ｇに引っ掛けられている。これによって、第１バネ３３は、第２通気板３２を上方向に付勢するようになっている。
【００２７】
第２バネ（バイアスバネ）３４は、ステンレス鋼からなる通常の引っ張りコイルバネにて構成されている。第２バネ３４は、第１通気板３１の下側の穴部３１ｄに収容されるようにして配置されている。第２バネ３４の上端（可動端）は、第２通気板３２の下端部に設けられたバネ係止部３２ｈに引っ掛けられている。第２バネ３４の下端（固定端）は、第１通気板３１の下端部に設けられたバネ係止部３１ｈに引っ掛けられている。これによって、第２バネ３４は、第２通気板３２を上記第１バネ３３とは反対の下方向に付勢するようになっている。
【００２８】
第１バネ３３と第２バネ３４は、第１、第２通気板３１，３２の中心線上に配置されている。
【００２９】
上記構成において、第２通気板３２は、第１バネ３３と第２バネ３４どうしのバネ力がつりあう高さに位置にされるようになる。
例えば夏季のように気温が高くなると、形状記憶合金製の第１バネ３３が、自然長が小さくなる方向に形状変化してバネ力が増大する。したがって、第１バネ３３が縮み、第２バネ３４が伸びる。これによって、第２通気板３２が上方にスライドして、第１通気板３１の通気穴３１ａと第２通気板３２の通気穴３２ａの重なり（開度）が大きくなる。そして、図７（ａ）に示すように、位置決め凸部３２ｅが位置決め孔３１ｅの上端の縁に突き当たって第２通気板３２が上限位置に達したとき、第１通気穴３１ａが第２通気穴３２ａと完全に一致し全開状態になる。この結果、室内を十分に換気することができる。
【００３０】
一方、例えば冬季のように気温が低くなると、形状記憶合金製の第１バネ３３が、自然長が大きくなる方向に形状変化してバネ力が減少する。したがって、第１バネ３３が伸び、第２バネ３４が縮む。これによって、第２通気板３２が下方にスライドして、第１通気板３１の通気穴３１ａと第２通気板３２の通気穴３２ａの重なり（開度）が小さくなる。そして、図７（ｂ）に示すように、位置決め凸部３２ｅが位置決め孔３１ｅの下端の縁に突き当たって第２通気板３２が下限位置に達したとき、第１通気穴３１ａと第２通気穴３２ａが半ピッチほどずれ、通気穴３１ａの開口度が最小になる。これによって、換気口１２ａを手動換気機構２０によって常時開状態にしていても、自動換気機構３０によって換気を抑制でき、屋外の冷気が室内に入って来たり室内の暖気が屋外に逃げたりするのを抑制することができる。最小開口度のときでも通気穴３１ａが完全な閉状態にはならないので、多少の換気を許容することができる。
しかも、第１通気板３１には常開の穴部３１ｃ，３１ｄが上下に一対設けられているので、室内の暖かい空気は、上側の穴部３１ｃを通して屋外へ流出し、屋外の冷たい空気は、下側の穴部３１ｄを通して室内に流入することができる。この結果、建物から出るホルムアルデヒド等の揮発性化学物質や暖房機器からの一酸化炭素などが室内に滞留するのを確実に防止することができる。
【００３１】
第２通気板３２は、第１バネ３３によって吊り下げられた状態で上下方向にスライドするようになっているので、スライドガイド部３１ｂとスライド嵌合部３２ｂとの間の摩擦抵抗を極めて小さくすることができる。しかも、第１、第２バネ３３，３４が第２通気板３２の中心線上に配置されているので、スライドガイド部３１ｂで支えなくても第２通気板３１を真っ直ぐ鉛直の姿勢に維持でき、上下スライド時の摩擦抵抗を一層確実に低減することができる。これによって、バネ３３，３４による第２通気板３２の上下スライドをスムーズかつ安定的に行うことができ、温度環境に応じた自動換気量調節の精度を向上させることができる。
スライドガイド部３１ｂは上下に延びているので、塵埃がスライドガイド部３１ｂの溝内に積もりにくい。したがって、スムーズなスライド状態を長期間にわたって維持することができる。
【００３２】
暴風雨等の際は、手動換気機構２０によって換気口１２ａを強制的に閉じる。この手動換気機構２０は、自動換気機構３０と機構的に切り離されているので、操作つまみ２２を第１バネ３３や第２バネ３４のバネ力に抗することなくスムーズに操作することができる。換気口１２ａを強制的に開くときも同様である。
一方、自動換気機構３０のバネ３３，３４は、手動換気機構２０の開閉操作によって伸び縮みすることがないので、手動換気調節を頻繁に行なっても、バネ３３，３４が金属疲労を来たすことがない。これによって、バネ３３，３４の長寿命化を図ることができる。
【００３３】
通気板３１，３２及びバネ３３，３４からなる自動換気機構３０は、１つのユニットになっており、換気装置本体１１に対し一体的に分離・接合可能になっているので、組み付けが容易なだけでなく、既存の換気装置に後付けで取り付けることも可能である。
第１、第２バネ３３，３４を、第２通気板３２を挟んで第１通気板３１の上下端部に配置し、これら通気板３１，３２及びバネ３３，３４を一直線上（中心線上）に配置することにより、自動換気機構３０のスリム化が可能となる。
【００３４】
本発明は、上記の実施形態に限定されるものではなく、必要に応じて種々の改変をなすことができる。
自動換気機構３０が、全開状態と全閉状態の間で開閉されるようにしてもよい。
換気装置本体１１にスライドガイド部を設け、このスライドガイド部に第２通気板３２を上下スライド可能に係合させてもよい。
上記実施形態では、第１通気板３１のスライドガイド部３１ｂが凹状になり、これに第２通気板３２の凸状のスライド嵌合部３２ｂが嵌合されていたが、第２通気板３２のスライド嵌合部を凹状にし、第１通気板３１のスライドガイド部を凸状にして上記凹状のスライド嵌合部に嵌め込まれるようにしてもよい。
形状記憶合金製の第１バネ３１を下側に設け、第２バネ３２を上側に設けてもよい。
第１バネ３１又は第２バネ３２を、引っ張りバネに代えて圧縮バネにて構成してもよい。
手動換気機構２０の作動板２１は、平行移動だけでなく回転をも伴いながら換気口１２ａに接近・離間し、換気口１２ａを開閉するようになっていてもよい。
【産業上の利用可能性】
【００３５】
この発明は、建物の壁、サッシ枠、方立等に設けられる換気装置に適用可能である。
【図面の簡単な説明】
【００３６】
【図１】本発明の一実施形態に係る換気装置を組み込んだ建物のサッシ窓を示す横断面図である。
【図２】上記サッシ窓の縦断面図である。
【図３】上記換気装置を室内側から見た正面図である。
【図４】上記換気装置の縦断面図である。
【図５】図４のV-V線に沿う上記換気装置の階段断面図である、
【図６】（ａ）は、上記換気装置の自動換気機構の第１通気板を屋外側から見た正面図であり、（ｂ）は、上記自動換気機構の第２通気板を屋外側から見た正面図である。
【図７】（ａ）は、全開状態の上記自動換気機構を屋外側から見た正面図であり、（ｂ）は、最小開口時の上記自動換気機構を屋外側から見た正面図である。
【符号の説明】
【００３７】
Ｗ      壁
１      サッシ方立
２      サッシ障子
３      方立本体
３ａ    室内側部分
３ｂ    室外側部分
４      内カバー
４ａ    開口
５      外カバー
５ａ    通気孔
６      中仕切り
６ａ    連通路
１０    換気装置
１１    装置本体
１２    室内側の壁部
１２ａ  換気口
２０    手動換気機構
２１    作動板
２１ａ  カム係合部
２２    操作つまみ
２３    ホルダ（カム）
２３ａ  カム溝
２３ｂ  戻しバネ
３０    自動換気機構
３１    第１通気板
３１ａ  第１通気穴
３１ｂ  スライドガイド部
３１ｃ  上側の穴部
３１ｄ  下側の穴部
３１ｆ  凸縁
３１ｅ  位置決め孔
３１ｇ  第１バネ固定端係止部
３１ｈ  第２バネ固定端係止部
３２    第２通気板
３２ａ  第２通気穴
３２ｂ  スライド嵌合部
３２ｅ  位置決め凸部
３２ｇ  第１バネ可動端係止部
３２ｈ  第２バネ可動端係止部
３３    第１バネ（形状記憶合金バネ）
３４    第２バネ（バイアスバネ）
【図１】
0004699241.tif 000002
【図２】
0004699241.tif 000003
【図３】
0004699241.tif 000004
【図４】
0004699241.tif 000005
【図５】
0004699241.tif 000006
【図６】
0004699241.tif 000007
【図７】
0004699241.tif 000008